(57)【要約】      （修正有）【課題】レンジフードの整流板を両開き対応とすることにより、整流板の清掃性、レンジフードのメンテナンス性を向上させる。【解決手段】レンジフード本体２の吸入口の近傍に整流板３ａを備えたレンジフードであって、前記レンジフード使用時には前記軸部が前記係止穴の内径上部を支持することで前記整流板３ａが前記レンジフード本体２に係止保持されており、前記整流板３ａの前後片方の端部を押し上げながら前後どちらかの前記押しピンを押し込むことで、前記鍔部が前記大径部を通過して前記整流板３ａの前記片方の係止保持が解除され、前記整流板３ａの逆の端部では前記軸部が前記係止穴の内径を支持した状態を維持することで、前記軸部を回転軸として整流板３ａが下方向に回動可能であることを特徴とするレンジフードを提供する。【選択図】図７
2010236840.tif 000002
【特許請求の範囲】
【請求項１】
レンジフード本体の吸入口の近傍に整流板を供えたレンジフードであって、
前記整流板は、前後端部を前記レンジフード本体に係止保持されており、
前記前後端部の片方の端部の係止保持を解除し、逆の前記前後端部を回転軸とすることで下方向に回動し、前後両方向に開放することが可能であることを特徴とするレンジフード。
【請求項２】
前記整流板の前後端部に突起部と、
前記突起部に係止穴と、
前記レンジフード本体の前記突起部と対応する位置に整流板係止具と、
前記整流板係止具の一部に押しピンと、を備え、
前記押しピンは軸部と、軸部先端に設けられた鍔部よりなり、
前記鍔部は前記軸部よりも径が大きく、
前記係止穴は前記鍔部の最大幅よりも、幅の大きな大径部と、
前記大径部より上部に前記鍔部の最大幅よりも幅の小さな小径部と、を備え、
前記レンジフード使用時には前記軸部が前記係止穴の内径上部を支持することで前記整流板が前記レンジフード本体に係止保持されており、
前記整流板の前後片方の端部を押し上げながら前後どちらかの前記押しピンを押し込むことで、前記鍔部が前記大径部を通過して前記整流板の前記片方の係止保持が解除され、
前記整流板の逆の端部では前記軸部が前記係止穴の内径を支持した状態を維持することで、前記軸部を回転軸として整流板が下方向に回動可能であることを特徴とする請求項１に記載のレンジフード。
【請求項３】
前記係止穴が、大径の円の上部に小径の円が連接した、だるま穴形状であることを特徴とする請求項２に記載のレンジフード。
【請求項４】
前記整流板の前後一方の端部に突起部と、
前記整流板の前記突起部が設けられているのと逆の端部に回転ヒンジ具と、
前記突起部に係止穴と、
前記レンジフード本体の前記突起部と対応する位置に整流板係止具と、
前記レンジフード本体の前記回転ヒンジ具と対応する位置に回転ヒンジ係止具と、
前記整流板係止具の一部に押しピンと、を備え、
前記回転ヒンジ具は前記回転ヒンジ係止具と回動可能に係止保持され、
前記押しピンは軸部と、軸部先端に設けられた鍔部よりなり、
前記回転ヒンジ具と前記回転ヒンジ係止具の係止保持は、前記回転ヒンジ具を持ち上げ、前記レンジフード本体中央方向へ特定距離以上移動させることにより解除され、
前記鍔部は前記軸部よりも径が大きく、
前記係止穴は前記鍔部の最大幅よりも、幅の大きな大径部と、
前記大径部より上部に前記鍔部の最大幅よりも幅の小さな小径部と、
前記鍔部が前記整流板中央方向へ、前記回転ヒンジ具と前記回転ヒンジ係止具の係止保持を解除できる特定距離以上移動できるだけの内径を有しており、
前記レンジフード使用時には前記軸部が前記係止穴の内径上部を支持することで前記整流板が前記レンジフード本体に係止保持されており、
前記押しピンを押し込みながら前記整流板を押し上げることで、前記鍔部が前記大径部を通過して前記整流板の前記突起部が設けられた端部の係止保持が解除され、
前記整流板の前記回転ヒンジ具が設けらた端部では前記回転ヒンジ具と前記回転ヒンジ係止具が係止保持状態を維持することで、前記回転ヒンジ具を回転軸として整流板が下方向に回動可能となり、
前記押しピンを押し込まずに前記整流板を押し上げ前記突起部方向へスライドさせることで、前記回転ヒンジ具と前記回転ヒンジ係止具の係止保持が解除され、前記軸部が前記係止穴の内径を支持した状態を維持することで、前記軸部を回転軸として整流板が下方向に回動可能であることを特徴とする請求項１に記載のレンジフード
【請求項５】
前記係止穴の最下端部から、整流板中央方向の最端部までの間がなだらかな傾斜をもって形成され、
前記整流板を押し上げると、前記軸部が前記係止穴の最下端部から整流板中央方向の最端部までの間を滑ることによって、前記整流板が前記突起部方向へスライドすることを特徴とする請求項４に記載のレンジフード。
【請求項６】
前記係止穴がたまご型形状であることを特徴とする請求項５に記載のレンジフード。
【請求項７】
前記整流板の前端部に前記突起部が設けられていることを特徴とする請求項４乃至６の何れか１項に記載のレンジフード。
【発明の詳細な説明】
【技術分野】
【０００１】
本発明は、厨房などで使用されるレンジフードに係り、特に整流板の清掃性が向上したレンジフードに関する発明である。 
【背景技術】
【０００２】
従来、厨房などで使用されるレンジフードの吸込み部には整流板が設けられていることが多い。（例えば、特許文献１参照。）。 
このような場合、整流板は油煙に晒されるため油が付着するが、レンジフードはキッチンの上方に位置するために清掃時に手が届きにくいという問題があった。また、整流板を取り外して清掃する際にも、ネジなどで固定されており取り外しが困難である、清掃後の取付が不十分で使用中に落下することがあるなどの問題が生じていた。
【０００３】
この課題を解決するために特許文献２の発明では、整流板の一端を回動可能に保持し、他端に係止を解除するつまみを設けることで、つまみの操作によって整流板を取り外し可能としている。
しかし、この場合、整流板の係止を解除し回動させることで、整流板の片方の面を清掃することが可能となるが、他方の面を清掃するためには整流板を完全に取り外す必要があるなどの問題があった。   
【先行技術文献】
【特許文献】
【０００４】
【特許文献１】特許第３４７０７７７号公報
【特許文献２】特開２００１−４１８１号公報
【発明の概要】
【発明が解決しようとする課題】
【０００５】
本発明は、上記問題を解決するためになされたもので、本発明の課題は、整流板の清掃性、メンテナンス性がよいレンジフードを提供することである。
【課題を解決するための手段】
【０００６】
上記目的を達成するための本発明の一様態によれば、レンジフード本体の吸入口の近傍に整流板を供えたレンジフードであって、前記整流板の前後を前記レンジフード本体に係止保持しており、前記整流板の前後片方の端部の係止保持を解除し、前記整流板の逆の端部を回転軸とすることで、前記整流板が下方向に回動可能であることを特徴とするレンジフードが提供される。
【発明の効果】
【０００７】
本発明によれば、整流板を押し上げなら押しピンを押すことで整流板の係止保持を解除することができ、さらに片方の押しピンの係止保持を解除しないことで回転軸とすることができ、整流板を下方向に回転させることで開放状態とし、清掃・メンテナンスを容易に行うことが出来るようになるという効果がある。
【図面の簡単な説明】
【０００８】
【図１】本発明の第一の実施例におけるレンジフード１の斜視図。
【図２】本発明の第一の実施例における整流板３ａの側面図。
【図３】本発明の第一の実施例における整流板係止具４の拡大図。
【図４】本発明の第一の実施例における整流板係止具４がレンジフード本体２に係止した状態の側面図。
【図５】本発明の第一の実施例における係止穴５と押しピン７の取り付きの様子を示した断面図。
【図６】本発明の第一の実施例における整流板３ａの取り外しの手順を示した側面図。
【図７】本発明の第一の実施例における整流板３ａの後部を開いた場合のレンジフード１の斜視図。
【図８】本発明の第二の実施例における整流板３ｂの側面図。
【図９】本発明の第二の実施例における回転係止具１０の拡大図。
【図１０】本発明の第二の実施例における整流板３ｂがレンジフード本体２に係止した状態の側面図。
【図１１】本発明の第二の実施例における整流板３ｂの後方を開く手順を示した側面図。
【図１２】本発明の第二の実施例における整流板３ｂの前方を開いた状態を示した側面図。
【発明を実施するための形態】
【０００９】
第一の発明はレンジフード本体の吸入口の近傍に整流板を供えたレンジフードであって、前記整流板の前後を前記レンジフード本体に係止保持しており、前記整流板の前後片方の端部の係止保持を解除し、前記整流板の逆の端部を回転軸とすることで、前記整流板が下方向に回動可能であることを特徴とするレンジフードである。
このレンジフードによれば、前後双方に整流板を開放することが可能となり、整流板の清掃性、レンジフードのメンテナンス性が向上する。
【００１０】
第二の発明は、第一の発明において、前記整流板の前後端部に突起部と、前記突起部に係止穴と、前記レンジフード本体の前記突起部と対応する位置に整流板係止具と、前記整流板係止具の一部に押しピンと、を備え、前記押しピンは軸部と、軸部先端に設けられた鍔部よりなり、前記鍔部は前記軸部よりも径が大きく、前記係止穴は前記鍔部の最大幅よりも、幅の大きな大径部と、前記大径部より上部に前記鍔部の最大幅よりも幅の小さな小径部と、を備え、前記レンジフード使用時には前記軸部が前記係止穴の内径上部を支持することで前記整流板が前記レンジフード本体に係止保持されており、前記整流板の前後片方の端部を押し上げながら前後どちらかの前記押しピンを押し込むことで、前記鍔部が前記大径部を通過して前記整流板の前記片方の係止保持が解除され、前記整流板の逆の端部では前記軸部が前記係止穴の内径を支持した状態を維持することで、前記軸部を回転軸として整流板が下方向に回動可能であることを特徴とするレンジフードである。
このレンジフードによれば、整流板の前後端部をレンジフード本体に確実に係止保持しながら、簡単な操作で係止保持を解除し、整流板を前後双方に整流板を開放することが可能となる。
【００１１】
第三の発明は、第二の発明において前記係止穴が、大径の円の上部に小径の円が連接した、だるま穴形状であることを特徴とするレンジフードである。
このレンジフードによれば、整流板を係止保持した状態において、鍔部と突起部の当節する面積が大きく、より確実に係止保持することが可能となる。
【００１２】
第四の発明は、第一の発明において、前記整流板の前後一方の端部に突起部と、前記整流板の前記突起部が設けられているのと逆の端部に回転ヒンジ具と、前記突起部に係止穴と、前記レンジフード本体の前記突起部と対応する位置に整流板係止具と、前記レンジフード本体の前記回転ヒンジ具と対応する位置に回転ヒンジ係止具と、前記整流板係止具の一部に押しピンと、を備え、前記回転ヒンジ具は前記回転ヒンジ係止具と回動可能に係止保持され、前記押しピンは軸部と、軸部先端に設けられた鍔部よりなり、前記回転ヒンジ具と前記回転ヒンジ係止具の係止保持は、前記回転ヒンジ具を持ち上げ、前記レンジフード本体中央方向へ特定距離以上移動させることにより解除され、前記鍔部は前記軸部よりも径が大きく、前記係止穴は前記鍔部の最大幅よりも、幅の大きな大径部と、前記大径部より上部に前記鍔部の最大幅よりも幅の小さな小径部と、前記鍔部が前記整流板中央方向へ、前記回転ヒンジ具と前記回転ヒンジ係止具の係止保持を解除できる特定距離以上移動できるだけの内径を有しており、前記レンジフード使用時には前記軸部が前記係止穴の内径上部を支持することで前記整流板が前記レンジフード本体に係止保持されており、前記押しピンを押し込みながら前記整流板を押し上げることで、前記鍔部が前記大径部を通過して前記整流板の前記突起部が設けられた端部の係止保持が解除され、前記整流板の前記回転ヒンジ具が設けらた端部では前記回転ヒンジ具と前記回転ヒンジ係止具が係止保持状態を維持することで、前記回転ヒンジ具を回転軸として整流板が下方向に回動可能となり、前記押しピンを押し込まずに前記整流板を押し上げ前記突起部方向へスライドさせることで、前記回転ヒンジ具と前記回転ヒンジ係止具の係止保持が解除され、前記軸部が前記係止穴の内径を支持した状態を維持することで、前記軸部を回転軸として整流板が下方向に回動可能であることを特徴とするレンジフードである。
このレンジフードによれば、整流板の片方の端部は従来のヒンジ構造のまま、前後双方に整流板を開放することが可能となり、整流板の清掃性、レンジフードのメンテナンス性が向上する。
【００１３】
第五の発明は、第四の発明において、前記係止穴の最下端部から、整流板中央方向の最端部までの間がなだらかな傾斜をもって形成され、前記整流板を押し上げると、前記軸部が前記係止穴の最下端部から整流板中央方向の最端部までの間を滑ることによって、前記整流板が前記突起部方向へスライドすることを特徴とするレンジフードである。
このレンジフードによれば、整流板を持ち上げた後にスライドさせる操作が必要なくなり、より簡単に整流板を開くことができるようになるという効果がある。
【００１４】
第六の発明は、第五の発明において、前記係止穴がたまご型形状であることを特徴とするレンジフードである。
このレンジフードによれば、回転ヒンジとヒンジ引っ掛け具の係止を解除した後、軸部を回転軸として整流板を下方へ回動させる際に、軸部が係止穴内径に引っかかり、がたつくことを防止することができるという効果がある。
【００１５】
第七の発明は、第四ないし第六の発明において、前記整流板の前端部に前記突起部が設けられていることを特徴とするレンジフードである。
このレンジフードによれば、整流板の係止保持解除が整流板の前端部で行えるため、レンジフード後方へ手を伸ばすことなく、整流板を前後双方へ開くことが可能となる。
【実施例】
【００１６】
以下に、本発明の実施例について、図を用いて説明する。
図１に本発明の第一の実施例におけるレンジフード１の全景を示す。レンジフード１の下部には、下方に位置するコンロにて加熱調理された際に発生する蒸気、油煙を効率良く捕集するために整流板３ａが設置されている。
【００１７】
図２に整流板３ａの側面図を示す。整流板３ａの前方には前部整流板係止具４ａが、後方には後部整流板係止具４ｂが設けられている。
【００１８】
図３に、整流板係止具４の拡大図を示す。整流板係止具４には、係止穴５が設けられている。この係止穴５は異径の円を複数連接した、所謂だるま穴形状となっている。
【００１９】
図４に、整流板係止具４がレンジフード本体２に係止する機構を示す。整流板３ａは前部整流板係止具４ａおよび後部整流板係止具４ｂによって、レンジフード本体２に取り付けられている。具体的には、レンジフード本体２に、押しピン７（図示せず）を有する係止突起６が設けられており、前部係止突起６ａの押しピン７が前部整流板係止具４ａにもうけられた係止穴５に、後部係止突起６ｂの押しピン７が後部整流板係止具４ｂに設けられた係止穴５に取り付くことで、整流板３ａがレンジフード本体２に取り付けられている。
【００２０】
図５に係止穴５と押しピン７の取り付きの様子を断面図にて示す。
押しピン７は、先端の鍔部８と軸部９によって構成されている。なお、図５（ａ）に示すように、鍔部８の径は押しピン７の軸部９よりも大きく、係止穴５の内径よりも小さくなっている。また、押しピン７の根元には弾性部材（図示せず）が設けられており、係止突起６の方向へ押すことによって収縮する構造となっている。
まず、図５（ｂ）に示すように、押しピン７を押し込みながら整流板３ａを上部に持ち上げ、押しピン７を開放することによって、押しピン７の鍔部８は係止穴５の下部、所謂だるま穴の大径部分を通過することができる。
次に、整流板３ａの支持を開放すると、整流板３ａは重力によって下方へ移動する。このとき、係止穴５の内径上部が押しピン７の軸部９に支持されることで、整流板３ａはレンジフード本体２に係止保持される。この状態で押しピン７を押し込んでも、鍔部８は係止穴５の上部、所謂だるま穴の小径部分に位置しており、係止突起６に当節するため係止穴５を通過することが出来ない構造となっている。これにより、レンジフード１を使用している最中に、不慮の事故により整流板３ａが落下してしまう危険性を低減することが出来る。
【００２１】
整流板３ａの係止保持を開放する場合、整流板３ａを上部に押し上げることで、鍔部８が係止穴５の下部、所謂だるま穴の大径部分に移動する。そのとき、押しピン７を押し込むことで、鍔部８が係止穴５を通過し、係止保持が解除される。
【００２２】
次に、図６に整流板３ａの取り外し手順について示す。前部整流板係止具４ａ、後部整流板係止具４ｂのいずれかに対して上記手順を行い、係止保持を解除することによって整流板３ａの前部、または後部のみ係止保持を解除することができる。このとき、係止保持された状態の押しピン７が回転軸として動作することで、整流板３ａが下方向へ回転することができる。後部係止突起部６ｂの押しピン７を軸にすることにより整流板３ａの前部が開き、前部係止突起部６ａの押しピンを軸にすることにより整流板３ａの後部が開く。図７に、整流板３ａの後部を開いた場合のレンジフード１の斜視図を示す。
【００２３】
さらに、整流板３ａをレンジフード本体２の中心方向へ移動させながら、回動の軸とした側の押しピン７に押し込み係止穴５を通過させることにより整流板３ａを完全に取り外すことができる。
【００２４】
以下、図面を参照しつつ本発明の第二の実施例について説明する。なお、第一の実施例と同じ部材には同じ符号を付し、説明を省略する。
図８に、第二の実施例に用いる整流板３ｂの側面図を示す。整流板３ｂの前方には回転係止具１０が、後方には回転ヒンジ１１が設けられている。
【００２５】
図９に、回転係止具１０の拡大図を示す。回転係止具１０には、係止穴１２が設けられており、この係止穴１２は整流板３ｂの中心方向に径を拡大されたたまごに似た形状をしている。
【００２６】
図１０に、整流板３ｂがレンジフード本体２に係止する機構を示す。整流板３ｂ側には回動時の軸になる回転ヒンジ１１が、フード本体側にはその回転ヒンジ１１を引っ掛けるヒンジ引っ掛け具１３がそれぞれ設けられ、ヒンジ引っ掛け具１３に回転ヒンジ１１を引っ掛けることで、整流板３ｂがレンジフード本体２へ係止保持される。この係止保持は、回転ヒンジ１１を上に持ち上げ、レンジフード本体２の中心方向へ所定距離だけ移動させることで解除することができるようになっている。
【００２７】
また、整流板３ｂには回転係止具１０が、本体側には押しピン７を有する係止突起６がそれぞれ設けられ、第一の実施例と同様に、押しピン７の軸部９に係止穴１２の内径上部を支持させることで、係止保持される。
【００２８】
図１１に、整流板３ｂを前方に開放する場合の動作を説明する。回転係止具１０と回動ヒンジ１１を有する整流板３ｂを上方に持ち上げることにより回転ヒンジ１１とヒンジ引っ掛け具１３の係止が解除される。このとき、たまご型の係止穴１２の下部が押しピン７の軸部９に接触し、滑ることで整流板３ｂ全体が前方へスライドする。これにより、回転ヒンジ１１とヒンジ引っ掛け具１３の係止が完全に開放され、回転係止具１０の押しピン７を押し込むことなく押しピン７を軸として整流板３ｂの後部を開くことができる。
このような動作を可能とするために、係止穴１２は軸部９が回転レンジ１１とヒンジ引っ掛け具１３の係止保持が解除される所定距離よりも大きく移動できるだけ、水平方向に広がりを持つ必要がある。
【００２９】
図１２に、整流板３の前部を開く場合の動作を説明する。整流板３ｂを上方に持ち上げながら、回転係止具１０の押しピン７を押し込むことで、押しピン７の鍔部８が係止穴１２を通過し、整流板３ｂの前部の係止保持が解除される。一方で、整流板３ｂを前方へ移動させないため、回転ヒンジ１１とヒンジ引っ掛け具１３の係止保持は解除されず、回転ヒンジ１１を回動軸として整流板３ｂの後部を開くことができる。
【００３０】
次に、整流板３ｂをレンジフード本体２から完全に取り外す方法を示す。
整流板３ｂの後部を開いている場合は回転係止具１０の押しピン７を押し込むことにより、押しピン７の鍔部８に係止穴１２を通過させ、整流板３ｂを完全に取り外すことができる。
また、整流板の前方を開いている場合には整流板３ｂ全体を上方に持ち上げ、さらに整流板３ｂを前方へ所定距離だけ移動させることで、回転ヒンジ１１とヒンジ引っ掛け具１３の係止を開放することにより整流板３ｂを完全に取り外すことができる。
【００３１】
以上、本発明の実施の形態を図面によって説明してきたが、具体的な構成は前述したような実施の形態に限られるものではなく、本発明の要旨を逸脱しない範囲における変更や追加があっても本発明に含まれる。例えば、第一の実施例では係止穴５をだるま穴形状としたが、三角形や長穴、たまご型などの形状が考えられる。
【符号の説明】
【００３２】
１…レンジフード
２…レンジフード本体
３…整流板
４…整流板係止具４
４ａ…前部整流板係止具
４ｂ…後部整流板係止具
５…係止穴
６…係止突起部
６ａ…前部係止突起部
６ｂ…後部係止突起部
７…押しピン
８…鍔部
９…軸部
１０…回転係止具
１１…回転ヒンジ
１２…係止穴
１３…ヒンジ引っ掛け具
【図１】
2010236840.tif 000003
【図２】
2010236840.tif 000004
【図３】
2010236840.tif 000005
【図４】
2010236840.tif 000006
【図５】
2010236840.tif 000007
【図６】
2010236840.tif 000008
【図７】
2010236840.tif 000009
【図８】
2010236840.tif 000010
【図９】
2010236840.tif 000011
【図１０】
2010236840.tif 000012
【図１１】
2010236840.tif 000013
【図１２】
2010236840.tif 000014
【手続補正書】
【提出日】平成22年3月18日(2010.3.18)
【手続補正１】
【補正対象書類名】図面
【補正対象項目名】全図
【補正方法】変更
【補正の内容】
【図１】
2010236840.tif 000015
【図２】
2010236840.tif 000016
【図３】
2010236840.tif 000017
【図４】
2010236840.tif 000018
【図５】
2010236840.tif 000019
【図６】
2010236840.tif 000020
【図７】
2010236840.tif 000021
【図８】
2010236840.tif 000022
【図９】
2010236840.tif 000023
【図１０】
2010236840.tif 000024
【図１１】
2010236840.tif 000025
【図１２】
2010236840.tif 000026